(57)【要約】【課題】歯科治療で貴重な充填剤を無駄にすることがなく、充填をスムーズに行なうためにそれほど粘度を小さくする必要がなく、洗浄も面倒でない歯科充填器具を提供する。【解決手段】ピンセット状の一方の先端５に設けられたピストンが、ピンセット状の両端が閉じるときに、他方の先端７にシリンダ９に設けられたシリンダ９に、挿通され、シリンダ９内部の充填剤１３が、シリンダ９から充填される。従来のように、長いノズルやチューブを必要とせず、長いノズルやチューブを貴重な充填剤１３で満たして無駄にすることがない。また、それほど充填剤１３の粘度を小さくする必要がない。更に、洗浄は面倒でない。【選択図】図１
2013000426.tif 000002
【特許請求の範囲】
【請求項１】
歯科治療で充填剤を充填させるための器具であって、ピンセット状の本体と、この本体に形成された両先端と、この両先端のうち一方の先端に設けられたピストンと、他方の先端にシリンダに設けられ前記両先端が閉じるときに前記ピストンが挿通されるシリンダと、を有することを特徴とする歯科充填器具。
【請求項２】
前記ピストンは、前記一方の先端で前記閉じる側の面に前記閉じる方向へ向かって突出して設けられ、前記シリンダは、前記他方の先端に貫通して前記閉じる側と反対の面に前記閉じる方向と反対方向へ向かって突出して設けられることを特徴とする請求項１に記載の歯科充填器具。  
【発明の詳細な説明】
【技術分野】
【０００１】
この発明は、歯科治療で歯に充填剤を充填するための器具に関する。
【背景技術】
【０００２】
歯科治療で、口の奥の歯などに充填剤を充填するための器具としては、図３に示すように、充填のための長いノズル１０１を有するシリンジ状の器具１０３が用いられる。すなわち、充填剤が入れられたシリンダ１０５にはピストン１０７が挿通される。使用に際しては、シリンダの左右の突起１０９に人差指と中指をかけ、親指でピストン１０７を押す。シリンダ１０５内の充填剤は、ピストン１０７に押され、シリンダ１０５の先に連通する長いノズル１０１を通して、歯の患部へ充填される。
【０００３】
また、下記特許文献１には、少量の充填剤を、針状の器具であるアピキャリアの先端部にくっつけ、このアピキャリアの先端部を歯の患部へ導いて充填を行なう治療において、アピキャリアの先端部に楽に充填剤をくっつけるための補助具として、ピンセットの形状を工夫したものが記載される。
【０００４】
また、下記特許文献２には、ピンセットの一方の先端に長いチューブを接続し、このチューブを通して充填剤を送り込む装置が記載される。
【先行技術文献】
【特許文献】
【０００５】
【特許文献１】特開２００７−３０７３４１
【特許文献２】特開平０１−１２９８４８
【発明の概要】
【発明が解決しようとする課題】
【０００６】
しかしながら、図３の器具を使用すると、長いノズルを充填剤で満たさなければならず、歯科治療の充填剤には高価で貴重なものが多いことから、充填剤を無駄にすることになり不経済である。また、充填をスムーズに行なうには粘度を小さくせねばならず、粘度が小さいと患部へ強く押し込む作業がうまくいかない。更に、長いノズルを洗浄するのが面倒であり治療の作業性を悪くする。
【０００７】
また、特許文献１の器具を使用すると、少量の充填剤しか扱えない。
また、特許文献２の器具を使用すると、長いチューブを充填剤で満たさなければならず、歯科治療の充填剤には高価で貴重なものが多いことから、充填剤を無駄にし不経済である。また、充填をスムーズに行なうには粘度を小さくせねばならず、粘度が小さいと患部へ強く押し込む作業がうまくいかない。更に、長いチューブを洗浄するのが面倒であり治療の作業性を悪くする。
【０００８】
この発明は、以上の問題点を解決するために、貴重な充填剤を無駄にすることがなく、充填をスムーズに行なうためにそれほど粘度を小さくする必要がなく、洗浄も面倒でない歯科充填器具を提供することを目的とする。
【課題を解決するための手段】
【０００９】
以上の課題を解決するために、第一発明は、歯科治療で充填剤を充填させるための器具であって、ピンセット状の本体と、この本体に形成された両先端と、この両先端のうち一方の先端に設けられたピストンと、他方の先端にシリンダに設けられ前記両先端が閉じるときに前記ピストンが挿通されるシリンダと、を有することを特徴とする歯科充填器具である。
【００１０】
第二発明は、更に、前記ピストンは、前記一方の先端で前記閉じる側の面に前記閉じる方向へ向かって突出して設けられ、前記シリンダは、前記他方の先端に貫通して前記閉じる側と反対の面に前記閉じる方向と反対方向へ向かって突出して設けられることを特徴とする歯科充填器具である。
【発明の効果】
【００１１】
第一、又は第二発明によれば、ピンセット状の先端にピストンとシリンダとを設けるので、長いノズルやチューブを必要とせず、よって、長いノズルやチューブを貴重な充填剤で満たして無駄にすることがない。また、長いノズルやチューブを通して充填を行なう必要がないので、それほど粘度を小さくする必要がない。更に、長いノズルやチューブの洗浄も不要なので、洗浄は面倒でない。
【図面の簡単な説明】
【００１２】
【図１】この発明の一実施形態に係る歯科充填器具を示すもので、（Ａ）は全体斜視図、（Ｂ）は（Ａ）の先端部の拡大図、（Ｃ）は（Ｂ）の充填作業前の断面図、（Ｄ）は（Ｃ）の充填作業中の断面図である。
【図２】図１の歯科充填器具を用いて行なう歯科治療の手順の一例を示すもので、（Ａ）は歯の患部を示す正面図、（Ｂ）は（Ａ）の患部に近い歯肉を切除した状態の側面図、（Ｃ）は（Ｂ）の歯の患部を切除した状態の側面図、（Ｄ）は（Ｃ）において歯科充填器具を用いて充填作業を行なう前の拡大図、（Ｅ）は（Ｄ）の充填作業中の拡大図である。
【図３】従来の器具を示す全体斜視図である。
【発明を実施するための形態】
【００１３】
この発明の実施形態に係る歯科充填器具を、図１及び図２に示す。
図１に示すように、この歯科充填器具１は、歯科治療で、主に切開した歯に、充填剤を充填させるための器具である。金属製でピンセット状の本体３は、通常のピンセットと同じように、全体がＶ字状をなし、弾性を有して手で挟んで開閉できる二つの先端５、７を備える。
【００１４】
このように本体３に形成された両先端のうち一方の先端５に、ピストン６が設けられる。このピストン６は、一方の先端５で、閉じる側の面（図中下側の面）に、一体的に、閉じる方向（図中下方向）へ向かって突出して設けられる。
両先端５、７のうち他方の先端７に、シリンダ９が設けられる。このシリンダ９は、両先端が閉じるときにピストン６が挿通される位置に、他方の先端７に一体的に形成される。このシリンダ９は、本体３の他方の先端７に貫通する形で形成され、閉じる側と反対の面（図中下の面）に、閉じる方向と反対方向（図中下方向）へ向かって、突出して設けられる。シリンダ９の入口１１から充填剤１３を満たし（図２（Ｃ））、出口１５から充填剤１３を、歯の患部へ充填する（図２（Ｄ））。
【００１５】
図２に、この歯科充填器具１を用いて行なう歯科治療の手順の一例を示す。
同図（Ａ）は、口の奥にある歯１７の患部１９を示す正面図であり、歯肉２１に隠れた歯１７の根の部分、すなわち根管２３が虫歯菌に感染している患部１９である。治療では、まず、麻酔や薬剤で神経を失活させ無痛状態にした後に、同図（Ｂ）に示すように、患部１９に近い歯肉２１を切除し、患部１９を露出させる。次に、同図（Ｃ）に示すように、歯１７の患部１９を取り除き、二つある根管のうち患部１９のある根管２３の内部を露出させる。そして、神経を取り除き、根管２３の治療を行う。
【００１６】
次に、シリンダ９に充填剤１３を満たし、同図（Ｄ）に示すように、歯科充填器具１のピンセット状の本体３の長さを生かして、シリンダ９の出口１５を、患部１９である露出した根管２３の内部上側に、位置させる。そうして、同図（Ｅ）に示すように、歯科充填器具１を手で挟んで両先端５、７を閉じる。この閉じることで、ピストン６に押された他方のシリンダ９の中の充填剤１３が、シリンダ９の出口１５から露出した根管２３の内部へ充填される。その後、シリンダ９の突出した先端で、充填剤１３を、歯１７の患部１９へ強く押し込む（同図（Ｅ）上下矢印参照）。このようにして、根管２３を保存する処置を行なう。
【００１７】
「実施形態の効果」
以上の実施形態で示すように、ピンセット状の本体３の長さを生かして、口の奥にある歯１７の患部１９へ充填剤１３を充填できる。長いピンセット状の先端にピストン６とシリンダ９とを設けるので、長いノズルやチューブを必要としない。このため、従来のように長いノズルやチューブを貴重な充填剤１３で満たして無駄にすること、がない。
【００１８】
また、長いノズルやチューブを通して充填を行なう必要がないので、充填剤１３の粘度をそれほど小さくする必要がない。粘度が小さくないので、充填剤１３を、歯１７の患部１９へ強く押し込む作業が容易に行なわれる。更に、粘度をそれほど小さくする必要がないので、粘度の広い範囲のいろいろの充填材が使用できる。
【００１９】
更に、長いノズルやチューブの洗浄も不要であり、短いシリンダ９やピストン６も洗浄だけで済み、洗浄は面倒でない。
また、従来例の図３に示す器具では、ノズルの先端を、くの字状に曲げる必要があり、その分ノズルは長くなり、充填剤１３が無駄になり、また、充填剤１３の粘度も低くする必要があるが、この実施形態では、そのような不利はない。
【００２０】
「他の実施形態」
以上の実施形態では、ピストン６は、ピンセット状の本体３の一方の先端５で閉じる側の面に閉じる方向へ向かって突出して設けられ、シリンダ９は、他方の先端７に貫通して閉じる側と反対の面に閉じる方向と反対方向へ向かって突出して設けられるものであったが、他の実施形態では、必ずしも、ピストン６とシリンダ９の形態をこのようにするには限らない。
【００２１】
例えば、ピストン６とシリンダ９を、それぞれ、ピンセット状の本体３の先端から、閉じる方向とは９０度異なる方向へ延設された延設部に、設けることもできる。このようにすることで、治療中に治療者は、ピンセット状の本体３の手前から先端方向へ見て、本体３から離れた位置にピストン６とシリンダ９を目視でき、目視がし易くなる。
また、シリンダ９は、閉じる方向と反対方向へ向かって突出するのみならず、閉じる方向もへ向かって突出することもできる。このようにすることで、ピストンが押す力をとシリンダ９へ十分に働かせ易くなる。
【符号の説明】
【００２２】
１…歯科充填器具、３…本体、５…一方の先端、６・・ピストン、７…他方の先端、９…シリンダ、１１…入口、１３…充填剤、１５…出口、１７…歯、１９…患部、２１…歯肉、２３…根管。
【図１】
2013000426.tif 000003
【図２】
2013000426.tif 000004
【図３】
2013000426.tif 000005
【手続補正書】
【提出日】平成23年10月25日(2011.10.25)
【手続補正１】
【補正対象書類名】特許請求の範囲
【補正対象項目名】全文
【補正方法】変更
【補正の内容】
【特許請求の範囲】
【請求項１】
歯科治療で歯に充填剤を充填させるための器具であって、ピンセット状の弾性を有する本体と、この本体に形成された両先端と、この両先端のうち一方の先端に設けられたピストンと、他方の先端に設けられ前記両先端が閉じるときに前記ピストンが挿通されるシリンダと、を有することを特徴とする歯科充填器具。
【請求項２】
前記ピストンは、前記一方の先端で前記閉じる側の面に前記閉じる方向へ向かって突出して設けられ、前記シリンダは、前記他方の先端に貫通して前記閉じる側と反対の面に前記閉じる方向と反対方向へ向かって突出して設けられることを特徴とする請求項１に記載の歯科充填器具。